(57)【要約】【課題】２１世紀都市居住緊急促進事業の各要件項目に適合した手摺支柱補強材の取付装置を提供する。【解決手段】中空の手摺支柱Ｑを被せるための補強材２と、該補強材２にねじ込む鋼棒３とを備え、補強材２から出ている鋼棒３を、コンクリート躯体・堰壁Ｐ上に予め埋設したインサート１１にねじ込み可能とし、このねじ込みピッチ回数によって補強材２の取付高さを調整可能とする。また、コンクリート堰壁・躯体Ｐにインサート１１を埋設した部分には、この埋設養生時において当該コンクリート堰壁・躯体Ｐの仕上げ面より低い凹部１４を形成し、該凹部１４内にエポキシ樹脂系接着剤Ｓを注入可能にする。【選択図】図３
2008291577.tif 000002
【特許請求の範囲】
【請求項１】
中空の手摺支柱が被せられる補強材と、該補強材にねじ込まれる鋼棒とを備え、補強材から出ている鋼棒を、コンクリート躯体・堰壁上に予め埋設したインサートにねじ込み可能とし、このねじ込みピッチ回数によって補強材の取付高さを調整可能としたことを特徴とする手摺支柱補強材の取付装置。
【請求項２】
コンクリート堰壁・躯体にインサートが埋設されている部分は、この埋設養生時において当該コンクリート堰壁・躯体の仕上げ面より低い凹部が形成され、該凹部内にエポキシ樹脂系接着剤を注入可能にしてなる請求項１記載の手摺支柱補強材の取付装置。
【請求項３】
補強材から出ている鋼棒にねじ込んだ高さ調整用ナットを備え、鋼棒をインサートにねじ込んでから補強材の取付高さを調整した後に、インサート側に当該高さ調整用ナットを締め付けることで補強材を固定可能とした請求項１または２記載の手摺支柱補強材の取付装置。
【請求項４】
インサートの内側に球形凹部もしくは楕円形凹部を形成し、この球形凹部もしくは楕円形凹部内に外形状が球体もしくは楕円体となった袋ナット状の支承部材の下面部分を回転可能に枢着させ、当該支承部材に鋼棒をねじ込み可能とした角度調整機構を付設してなる請求項１乃至３のいずれか記載の手摺支柱補強材の取付装置。
【請求項５】
コンクリート堰壁・躯体の凹部内に埋め込まれるインサートの内側を長円柱状に刳り抜いてなる空洞部を備え、該空洞部内に、鋼棒がねじ込まれるインサートナットが前後方向にスライド自在となって収容されてなる前後スライド機構を付設してある請求項１乃至３のいずれか記載の手摺支柱補強材の取付装置。
【請求項６】
補強材から出ている鋼棒の前後に配したビスホール部にボルト・ネジを組み込み、両ボルト・ネジのいずれか一方の引き出し長さを調整することで補強材を垂直に支持可能とした請求項１乃至５のいずれか記載の手摺支柱補強材の取付装置。
【請求項７】
補強材の内部に貫通形成された中央孔部の内径より鋼棒の外径を若干小さく設定し、中央孔部に鋼棒を挿入してから、補強材の周面を押圧圧壊し鋼棒に噛み合わせることにより当該鋼棒を固定可能とした請求項１乃至６のいずれか記載の手摺支柱補強材の取付装置。
【発明の詳細な説明】
【技術分野】
【０００１】
本発明は、建築物屋上の周縁部・ベランダ廊下等の外縁部等のコンクリート堰壁、施工後のコンクリート躯体に形成された開口部等に手摺支柱の補強材を後付工法により設置するための手摺支柱補強材の取付装置に関する。
【背景技術】
【０００２】
近年、環境・資源問題の深刻化、進展する高齢化社会への対応、防災上危険な市街地の未整備等、多岐にわたる都市・住宅問題に対処すると共に、２１世紀を通して良質なストックとして活用できる集合住宅の整備を促進するための２１世紀都市居住緊急促進事業が進められている。この事業の住宅要件としては、第１に環境・資源問題への対応として、エネルギーの使用の合理化に関する法律に基づく省エネルギー基準を満たすこと、および高耐久性仕様、スケルトン・インフィル分離ルールの導入等、省資源化に資することが要求されている。また第２に高齢化社会への対応として、高齢者の身体機能に配慮した加齢対応構造であることが要求されている。そして、第３に防災安全性への寄与として、地震被災時における躯体の保全に配慮した構造設計であること、および避難場所・避難地として活用可能な空地の整備を図る等長期にわたり市街地の安全性向上に資する事業であることが要求されている。さらに、第４に都市緑化対策として、空地の面積の敷地面積に対する割合が、１から建築基準法第５３条の規定により建築面積の敷地面積に対する割合の最高限度を減じた数値に１０分の２を加えた数値以上となるよう空地を確保することが要求される。
【０００３】
このような要件を満たすべく、建築物屋上の周縁部・ベランダ廊下等の外縁部等のコンクリート堰壁、施工後のコンクリート躯体に手摺を設置する場合には、コンクリート床部の端に突縁部が立設され、該突縁部に手摺が据え付けられるものとなっている。このような手摺の基本構造は、支柱の上端に手摺を架設したものであるので、手摺支柱をコンクリート床部の突縁部に如何に安定して固定するかについて、様々な方法を用いることの提案がなされている。
【０００４】
例えば、特許文献１に開示されているように、主に高層マンションのバルコニーに手摺を設けるために適用される手摺付きバルコニー構築ユニットが提案されている。これは、コンクリート床部の端に、予め工場生産により突縁部、または突縁部付き床部として分割して成形するとともに、突縁部に手摺支柱を取り付ける基礎となるアンカーをインサートにより埋設してなる構築ブロックの各アンカーに連結する継芯材と、各継芯材に挿入固定される複数の手摺支柱、または手摺支柱とともに組み立てられる手摺とを一組とするものとして構成されている。
【０００５】
また、特許文献２に開示されているように、下桟の取付けが嵌着構造により容易に取付ることができ、また、手摺支柱と手摺支柱との間の寸法が下桟の寸法に限定されないことで、そのスパンの調整が可能であるとともに、縦桟の間隔で同じタイプの格子ユニットの使用も可能となる軽金属製手摺なる技術が提案されている。これは、手摺支柱の上端に架設される笠木に、手摺支柱の位置に対して室内外いずれかの方向へ突出する張出部を設けるとともに、目板で封じられる下面開口の蟻溝形部分にその張出部を形成し、手摺支柱の下端部に、手摺支柱の位置から外れる張出部の真下の位置において、下桟をその溝構造により長手方向にスライド調整可能に架設し、張出部の開口に嵌着される目板と下桟との幅中央にそれぞれパネル又は格子ユニットが嵌まる嵌着溝を設けた構成としている。
【０００６】
さらに、特許文献３に開示されているように、中空の手摺支柱を被せるジョイントスリーブ体と、コンクリート躯体・堰壁上に穿設され、内部に接着剤が充填される取付穴に挿入され、硬化養生してジョイントスリーブ体自体を立設固定させる手摺支柱の取付装置とからなる技術が提案されいる。これは、ジョイントスリーブ体の下端部側にボルト・ネジをタッピング状に捩じ込ませて頭部をジョイントスリーブ体下方側へ突出配置させるビスホール部を備え、ビスホール部はアルミニウム材の押出成型によって形成されたジョイントスリーブ体の内壁面もしくは外壁面に一体形成されており、当該ジョイントスリーブ体の一端側をビスホール部を残して一部切除することにより、ジョイントスリーブ体の一端側からビスホール部による脚部が延設形成されるものとしている。
【特許文献１】特開２００６−２００１６３号公報
【特許文献２】特開２００６−２００１６４号公報
【特許文献３】特許第３６７８７１７号公報
【発明の開示】
【発明が解決しようとする課題】
【０００７】
しかしながら、このような従来例においては、建築物屋上の周縁部・ベランダ廊下等の外縁部等のコンクリート堰壁、施工後のコンクリート躯体に手摺支柱を設置する場合、特許文献３におけるように、例えばハンマードリル等でコンクリート躯体・堰壁上に穴を穿設する必要がある。このため、コンクリート切粉が出て粉塵が生起して環境・資源問題に十分に対応できなくなるから、２１世紀都市居住緊急促進事業における住宅要件を満たさない。
【０００８】
また、特許文献１においては、突縁部に手摺支柱を取付る基礎となるアンカーをインサートにより埋設してなる構築ブロックとしているため、手摺支柱同士が互いに水平となるように各支柱の高さを調整したり、手摺支柱同士の傾きを調整したりする場合には、コンクリート躯体・堰壁側のアンカー自体の設置を変更しなければならず、非常に面倒な作業となる。
【０００９】
また、特許文献２においては、手摺支柱と手摺支柱との間の寸法が下桟の寸法に限定されないようにそのスパンの調整を行う必要があるため、手摺本体の交換が簡単には行えず、かなり限定された条件でしか交換・設置作業が行うことができない等の諸々の問題点を有している。
【００１０】
そこで、本発明は叙上のような従来存した諸事情に鑑み創出されたもので、例えばハンマードリル等でコンクリート躯体・堰壁上に穴を開ける必要がなく、コンクリート切粉が発生せず、粉塵が起きないことで周囲を汚損させることなく、環境・資源問題に十分対応できると共に、取付時間を短縮化し、且つ防災安全性に十分寄与でき、さらに地震被災時における躯体の保全に配慮した構造設計となる２１世紀都市居住緊急促進事業の各要件項目に適合した手摺支柱補強材の取付装置を提供することを目的とする。
【課題を解決するための手段】
【００１１】
上述した課題を解決するため、本発明にあっては、中空の手摺支柱Ｑが被せられる補強材２と、該補強材２にねじ込まれる鋼棒３とを備え、補強材２から出ている鋼棒３を、コンクリート躯体・堰壁Ｐ上に予め埋設したインサート１１にねじ込み可能とし、このねじ込みピッチ回数によって補強材２の取付高さを調整可能としたものである。
コンクリート堰壁・躯体Ｐにインサート１１が埋設されている部分は、この埋設養生時において当該コンクリート堰壁・躯体Ｐの仕上げ面より低い凹部１４が形成され、該凹部１４内にエポキシ樹脂系接着剤Ｓを注入可能にすることができる。
補強材２から出ている鋼棒３にねじ込んだ高さ調整用ナット３４を備え、鋼棒３をインサート１１にねじ込んでから補強材２の取付高さを調整した後に、インサート１１側に当該高さ調整用ナット３４を締め付けることで補強材２を固定可能としたものとできる。
インサート１１の内側に球形凹部１５もしくは楕円形凹部２５を形成し、この球形凹部１５もしくは楕円形凹部２５内に外形状が球体もしくは楕円体となった袋ナット状の支承部材１６，２６の下面部分を回転可能に枢着させ、当該支承部材１６，２６に鋼棒３をねじ込み可能とした角度調整機構１７，２７を付設することができる。
コンクリート堰壁・躯体Ｐの凹部１４内に埋め込まれるインサート１１の内側を長円柱状に刳り抜いてなる空洞部３１を備え、該空洞部３１内に、鋼棒３がねじ込まれるインサートナット３２が前後方向にスライド自在となって収容されてなる前後スライド機構３３を付設することができる。
補強材２から出ている鋼棒３の前後に配したビスホール部５ａ，５ｂにボルト・ネジＶを組み込み、両ボルト・ネジＶのいずれか一方の引き出し長さを調整することで補強材２を垂直に支持可能としたものとできる。
補強材２の内部に貫通形成された中央孔部４の内径より鋼棒３の外径を若干小さく設定し、中央孔部４に鋼棒３を挿入してから、補強材２の周面を押圧圧壊し鋼棒３に噛み合わせることにより当該鋼棒３を固定可能としたものとできる。
【００１２】
以上のように構成された本発明に係る手摺支柱補強材の取付装置にあって、補強材２から出ている鋼棒３を、コンクリート躯体・堰壁Ｐ上に予め埋設したインサート１１にねじ込んだ際に、このねじ込みピッチ回数によって補強材２の取付高さを調整させる。
コンクリート堰壁・躯体Ｐの仕上げ面より低い凹部１４は、エポキシ樹脂系接着剤Ｓの注入を可能にさせ、その硬化後は鋼棒３自体の強度を向上させる。
高さ調整用ナット３４は、鋼棒３をインサート１１にねじ込んでから補強材２の取付高さを調整した後のインサート１１側への鋼棒３の締め付け固定を可能にさせる。
角度調整機構１７，２７は、支承部材１６，２６に補強材２から出ている鋼棒３をねじ込むことで支承部材１６，２６を基点としての補強材２の前後左右の角度調整を可能にさせる。
前後スライド機構３３は、インサート１１の空洞部３１内でインサートナット３２が前後方向にスライド自在となることで、当該インサートナット３２にねじ込まれた鋼棒３を介して補強材２の前後スライド位置を調整させる。
ビスホール部５ａ，５ｂにねじ込んだボルト・ネジＶは、コンクリート躯体・堰壁Ｐまたはインサート１１の傾斜に対応して、両ボルト・ネジＶのいずれか一方の引き出し長さを調整することで補強材２を垂直に支持可能とさせる。
【発明の効果】
【００１３】
本発明によれば、例えばハンマードリル等でコンクリート堰壁・躯体Ｐ上に穴を開ける必要がなく、コンクリート切粉が発生せず、粉塵が起きないことで周囲を汚損させずに済み、環境・資源問題に十分対応できると共に、取付時間を短縮化し、且つ防災安全性に十分寄与でき、さらに地震被災時における躯体Ｐの保全に配慮した構造設計となる２１世紀都市居住緊急促進事業の各要件項目に適合することができる。
【００１４】
すなわち、これは本発明が、中空の手摺支柱Ｑが被せられる補強材２から出ている鋼棒３を、コンクリート躯体・堰壁Ｐ上に予め埋設したインサート１１にねじ込み可能とし、このねじ込みピッチ回数によって補強材２の取付高さを調整可能としたからであり、これにより、手摺支柱Ｑが被せられる補強材２は、当該補強材２の取付高さを調整可能とした鋼棒３のみで固定されるため、手摺支柱Ｑ自体の交換が容易であり、しかも補強材２の高さ調整のためにコンクリート堰壁・躯体Ｐ側を調整する必要が無く、保全に配慮した構造設計となる。
【００１５】
また、補強材２のみを架設し、足場用単管パイプＬをクランプ金具等で接続すれば仮設落下防止用足場として使用できる。さらに、補強材２への手摺支柱Ｑの取付は、当該補強材２の取付作業の後工程にて容易に施工できるため、当該補強材２に多少の傷や汚れ等が付いても問題が無い。また、インサート１１を手摺以外の割付等のような手摺支柱Ｑの取付に支障が無い部分に打ち込めば、既製金物にボルト・ネジＶを付けるだけで仮設用足場等に利用することができる。この場合、手摺支柱Ｑの取付を後工程としているため、結果として取付費のコストダウンを含め、手摺支柱Ｑに対する施工時での傷や汚れ等の影響が少なくなり、且つ補修・クリーニング費の削減となる。
【００１６】
コンクリート堰壁・躯体Ｐにインサート１１が埋設されている部分は、この埋設養生時において当該コンクリート堰壁・躯体Ｐの仕上げ面より低い凹部１４が形成され、該凹部１４内にエポキシ樹脂系接着剤Ｓを注入可能にしてなるので、これが硬化した後では、インサート１１にねじ込んだ鋼棒３により強固な強度が得られると同時に緩み防止や防水効果が得られる。
【００１７】
補強材２から出ている鋼棒３にねじ込んだ高さ調整用ナット３４を備え、鋼棒３をインサート１１にねじ込んでから補強材２の取付高さを調整した後に、インサート１１側に当該高さ調整用ナット３４を締め付けることで補強材２を固定可能としたので、インサート１１側に補強材２を強固に固定でき、緩み止めの効果も得られる。
【００１８】
インサート１１の内側に球形凹部１５もしくは楕円形凹部２５を形成し、この球形凹部１５もしくは楕円形凹部２５内に外形状が球体もしくは楕円体となった袋ナット状の支承部材１６，２６の下面部分を回転可能に枢着させ、当該支承部材１６，２６に鋼棒３をねじ込み可能とした角度調整機構１７，２７を付設してなるので、支承部材１６，２６に補強材２から出ている鋼棒３をねじ込むことで支承部材１６，２６を基点として補強材２の前後左右の角度を容易に調整できるから、手摺取付場所におけるあらゆる施工誤差に対応できる。
【００１９】
しかも、支承部材１６，２６にねじ込んだ鋼棒３をある程度フリーにしておき、そこにエポキシ樹脂系接着剤Ｓを注入することで、コンクリート堰壁・躯体Ｐやインサート１１等のあらゆる施工誤差に対応でき、強度や長尺部・段差部等の取付精度を向上できる。
【００２０】
コンクリート堰壁・躯体Ｐの凹部１４内に埋め込まれるインサート１１の内側を長円柱状に刳り抜いてなる空洞部３１を備え、該空洞部３１内に、鋼棒３がねじ込まれるインサートナット３２が前後方向にスライド自在となって収容されてなる前後スライド機構３３を付設してあるので、補強材２の前後スライド位置を容易に調整でき、手摺取付場所におけるあらゆる施工誤差に対応できる。
【００２１】
補強材２から出ている鋼棒３の前後に配したビスホール部５ａ，５ｂにボルト・ネジＶを組み込み、両ボルト・ネジＶのいずれか一方の引き出し長さを調整することで補強材２を垂直に支持可能としたので、コンクリート堰壁・躯体Ｐやインサート１１等の傾斜によるあらゆる施工誤差に対応でき、強度や長尺部・段差部等の取付精度を向上できる。しかも、ビスホール部５ａ，５ｂのボルト・ネジＶの種類を変えるだけで仕様に合った強度が得られる。
【００２２】
補強材２の内部に貫通形成された中央孔部４の内径より鋼棒３の外径を若干小さく設定し、中央孔部４に鋼棒３を挿入してから、補強材２の周面を押圧圧壊し鋼棒３に噛み合わせることにより当該鋼棒３を固定可能としたので、補強材２に対する鋼棒３の組付け固定が強固なものとなる。
【００２３】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００２４】
以下、図面を参照して本発明を実施するための最良の一形態を説明する。図において示される符号１は、建築物屋上の周縁部・ベランダ廊下の外縁部等のコンクリート堰壁・躯体Ｐの養生時に、予め所定間隔おきに埋設された後述するインサート１１を介して立設されるアルミニウム押出成型材製の手摺支柱Ｑの取付装置本体である。
【００２５】
この取付装置本体１は、図２および図３に示すように、中空の筒状の手摺支柱Ｑを被せるための補強材２と、該補強材２にねじ込まれる鋼棒３とから構成されている。この補強材２は、図３（ｂ）に示すように、平行２辺の側壁部２ａ同士を幅広な略円筒状のウエブ２ｂで連結して略Ｉ型に形成されて成り、ウエブ２ｂの内部を貫通する中央孔部４と両側壁部の内部を貫通するビスホール部５ａ，５ｂとを備えている。そして、中央孔部４の内周面には、等間隔毎に例えば４箇所の縦溝条６が互いに内側に向けて相対峙するように長手方向に沿って形成され、且つビスホール部５ａ，５ｂの内周面には、２箇所に縦溝条７が互いに内側に向けて相対向するように長手方向に沿って形成されている。
【００２６】
この中央孔部４の内周面には雌ネジ溝が形成され、周囲に雄ネジ溝を形成した鋼棒３が当該中央孔部４の下端開口側からねじ入れられている。このとき、補強材２は、ねじ入れる鋼棒３の長さ・太さ等の種類を適宜変更することにより補強材２自体の強度を任意に変えることができるようにしてある。
【００２７】
一方、コンクリート堰壁・躯体Ｐに埋設されているインサート１１は、例えば鉄製・鋼製等の筒体に形成され、内周面には雌ネジ溝が形成され、且つ筒体の下端にはコンクリート堰壁・躯体Ｐからの抜け止め用の大径のフランジ部１２と、コンクリート堰壁・躯体Ｐ内での回転止め用のスカート部１３とが形成されている。また、コンクリート堰壁・躯体Ｐにインサート１１が埋設されている部分は、この埋設養生時において当該コンクリート堰壁・躯体Ｐの仕上げ面より例えば約３０ｍｍ前後低い凹部１４が形成されており、養生後にはこの凹部１４の底面にインサート１１の上側開口部分が面一状に露出した状態となるように設定してある。
【００２８】
そして、図３に示すように、補強材２から出ている鋼棒３をこの凹部１４内のインサート１１のネジ穴にねじ込むに際し、このねじ込みピッチ回数によって補強材２の取付高さを適宜調整できるものとしてある。また、この凹部１４内には、金属疲労が無く且つ耐水性・耐熱性・耐摩耗性等を有するエポキシ樹脂系接着剤Ｓを注入し、硬化された後にはすることにより鋼棒３の緩み止めや防水処理等の効果も得られるようにしてある。
【００２９】
次に、以上のように構成された最良の形態についての組立、使用の一例について説明する。先ず、補強材２を仮設用支柱として使用する場合には、図２（ａ）に示すように、補強材２の一端開口側に鋼棒３を途中までねじ込み、図２（ｂ）に示すように、この補強材２から出ている鋼棒３をコンクリート堰壁・躯体Ｐの凹部１４内にあるインサート１１のネジ穴にねじ込む。このとき、このねじ込みピッチ回数によって補強材２の取付高さが調整される。
【００３０】
そして、図１に示すように、環状の締結部材を互いに直角に角度自在に連結してなるクランプ金具Ｋの一方の締結部材側を補強材２上端に嵌め込み固定し、他方の締結部材側に長尺な足場用単管パイプＬを挿通させて締結保持することで仮設用手摺が形成される。こうして、補強材２から出ている鋼棒３をインサート１１にねじ込むだけで仮設用手摺を形成するための仮設用支柱として使用できる。
【００３１】
また、この補強材２を介して手摺を取り付ける場合には、図３（ａ）および（ｂ）に示すように、補強材２の一端開口側に鋼棒３を途中までねじ込み、図３（ｃ）および（ｄ）に示すように、この補強材２から出ている鋼棒３をコンクリート堰壁・躯体Ｐの凹部１４内にあるインサート１１のネジ穴にねじ込む。このとき、このねじ込みピッチ回数によって補強材２の取付高さが調整される。
【００３２】
そして、図３（ｅ）および（ｆ）に示すように、凹部１４内にエポキシ樹脂系接着剤Ｓを注入し、このエポキシ樹脂系接着剤Ｓの硬化後には、図３（ｇ）に示すように、これら各補強材２に角筒状の手摺支柱Ｑを被せる。このとき、各手摺支柱Ｑに環状の化粧カバーＲを装着して下端の凹部１４側に被せておく。
【００３３】
次いで、図４に示すように、手摺支柱Ｑの下方側面同士に横架状に付設した下枠と、手摺支柱Ｑの上端同士に笠木を介して横架状に付設した上枠との間に、例えばアクリル樹脂製等のパネル、ガラス板、あるいは縦格子状等のフェンスＦを取り付ける。
【００３４】
尚、各手摺支柱Ｑに対して下枠、上枠、フェンスＦそれぞれは、製造工場等で予め付設された既製のものとしても良く、この場合には化粧カバーＲを補強材２に装着して下端を被せた状態にしてから既製の手摺支柱Ｑそれぞれを各補強材２に被せる。こうして補強材２から出ている鋼棒３をインサート１１にねじ込み且つエポキシ樹脂系接着剤Ｓで硬化させるだけで手摺を形成するための手摺支柱Ｑが取り付けられ、従来工法のようにハンマードリル等でコンクリート堰壁・躯体Ｐに穴を開ける必要がないので、汚さずに取付時間を短縮できる。
【００３５】
また、インサート１１を手摺以外の割付等のような手摺支柱Ｑの取付に支障が無い部分に打ち込めば、既製金物にボルト・ネジＶを付けるだけで仮設用足場等に利用できる。
【００３６】
また、図５（ａ）に示すように、補強材２から出ている鋼棒３に高さ調整用ナット３４を予め入れておき、図５（ｂ）に示すように、コンクリート堰壁・躯体Ｐの凹部１４内のインサート１１にねじ込んでから補強材２の取付高さを調整した後に、図５（ｃ）に示すように、インサート１１側に当該高さ調整用ナット３４を締め付けることにより、強固に補強材２を固定できるようにしても良い。これによって鋼棒３自体の緩み止めの効果があり、しかも図５（ｄ）に示すように、凹部１４内にエポキシ樹脂系接着剤Ｓを注入することにより鋼棒３の防水処理の効果も得られる。そして、図５（ｅ）に示すように、これら各補強材２に角筒状の手摺支柱Ｑを被せる。このとき、各手摺支柱Ｑに環状の化粧カバーＲを装着して下端の凹部１４側に被せておく。
【００３７】
また、図６（ａ）および（ｂ）に示すように、ネジ穴を有するインサート１１の替わりに、当該インサート１１の内側を球形状に刳り抜いて球形凹部１５を形成しておき、この球形凹部１５内に外形状が球体となっている袋ナット状の支承部材１６の下面部分を回転可能に枢着させてなる角度調整機構１７を付設しても良い。
【００３８】
あるいは図６（ｃ）に示すように、インサート１１の内側を楕円形状に刳り抜いて楕円形凹部２５を形成しておき、この楕円形凹部２５内に外形状が楕円体となっている袋ナット状の支承部材２６の下面部分を回転可能に枢着させてなる角度調整機構２７を付設しても良い。
【００３９】
このとき支承部材１６，２６に補強材２から出ている鋼棒３をねじ込むことで支承部材１６，２６を基点として補強材２の前後左右の角度が調整される。そして、角度調整後には支承部材１６，２６上側におけるコンクリート堰壁・躯体Ｐの凹部１４内にエポキシ樹脂系接着剤Ｓを注入する。
【００４０】
また、図７に示すように、ネジ穴を有するインサート１１の替わりに、内側を長円柱状に刳り抜き、上側開口縁部が若干内方に向けて突出されてなる空洞部３１を形成した角柱状のインサート１１をコンクリート堰壁・躯体Ｐの凹部１４内に埋め込み、このインサート１１の空洞部３１内に、鋼棒３がねじ込まれる略Ｔ字形状のインサートナット３２が前後方向にスライド自在となって収容されてなる前後スライド機構３３を設けても良い。
【００４１】
このようにインサートナット３２が空洞部３１内で前後にフリーで動く前後スライド機構３３とした場合、図７（ｂ）および（ｃ）に示すように、補強材２から出ている鋼棒３をインサートナット３２にねじ込み、当該インサートナット３２を前後方向にスライド調整する。その後、図７（ａ）に示すように、鋼棒３に予め組み込んでおいた高さ調整用ナット３４をインサート１１側に締め付けることで、当該高さ調整用ナット３４はインサート１１の空洞部３１の上側開口縁部によって係止する。これによって補強材２を介しての手摺支柱Ｑの取付位置が決定し、取付場所のあらゆる施工誤差に対応できると同時により強固な強度が得られるのである。
【００４２】
また、図７（ｄ）および（ｅ）に示すように、コンクリート堰壁・躯体Ｐの凹部１４内にエポキシ樹脂系接着剤Ｓを注入する。そして、図７（ｆ）に示すように、これら各補強材２に角筒状の手摺支柱Ｑを被せる。このとき、各手摺支柱Ｑに環状の化粧カバーＲを装着して下端の凹部１４側に被せておく。
【００４３】
逆にナットをインサート１１側に締め付けずにある程度フリーの状態にしておき、これにエポキシ樹脂系接着剤Ｓを注入することで、インサート１１やコンクリート堰壁・躯体Ｐ等の施工誤差等に対応させ、強度や長尺部・段差部等の取付精度が高められるようにしても良い。
【００４４】
また、図８に示すように、コンクリート堰壁・躯体Ｐの仕上げ面と共に凹部１４内底面が傾いている場合には、補強材２から出ている鋼棒３を中心とした前後におけるビスホール部５ａ，５ｂ部分にボルト・ネジＶを組み込み、そのボルト・ネジＶを廻すだけで補強材２の垂直が決定されるようにしてある。
【００４５】
すなわち、図８（ａ）に示すように、補強材２から出ている鋼棒３をインサート１１のネジ穴にねじ込む際に、凹部１４内底面の傾斜に対応して、一方のビスホール部５ａ，５ｂにねじ込んだボルト・ネジＶを、他方のビスホール部５ａ，５ｂにねじ込んだボルト・ネジＶに対して若干短くなるように予めねじ込ませておくことで、前後一対のボルト・ネジＶにより補強材２は垂直に支持される。
【００４６】
そして、図８（ｂ）に示すように、コンクリート堰壁・躯体Ｐの仕上げ面よりインサート１１が低く設定してある凹部１４内にエポキシ樹脂系接着剤Ｓを注入することにより、より強固の強度が得られるようにしておく。また、補強材２の前後のビスホール部５ａ，５ｂにねじ込まれているボルト・ネジＶの種類を変えることで仕様にあった強度が得られるようにしても良い。そして、図８（ｃ）に示すように、これら各補強材２に角筒状の手摺支柱Ｑを被せるのであり、このとき、各手摺支柱Ｑに環状の化粧カバーＲを装着して下端の凹部１４側に被せておく。
【００４７】
また、鋼棒３の補強材２に対する固定方法として、補強材２のウエブ２ｂの内部を貫通する中央孔部４に、外周に雄ネジ溝が形成されている鋼棒３をねじ込む替わりに、ウエブ２ｂの内部を貫通するビスホール状の中央孔部４に鋼棒３をタッピング状にねじ込む施工方法や、中央孔部４に鋼棒３を挿入してエポキシ樹脂系接着剤Ｓを注入し硬化させることで固定する施工方法がある。
【００４８】
この他、図９および図１０に示すように、補強材２のウエブ２ｂの内部を貫通する中央孔部４の内径より鋼棒３の外径を若干小さく設定しておき、中央孔部４に鋼棒３を挿入してから、例えばプレス型Ｗ等で補強材２の周面を押圧圧壊し、鋼棒３に噛み合わせることにより当該鋼棒３を圧力で固定する施工方法もある。
【００４９】
すなわち、図９（ａ）に示すように、先ず補強材２の左右両側に、一対の突起ａを備えたプレス型Ｗを配置させておき、図９（ｂ）に示すように、補強材２の中央孔部４にアンカー状の鋼棒３を所定の位置まで挿入し、プレス型Ｗの突起ａで補強材２の周面を押圧圧壊し鋼棒３のアンカー溝に噛み合わせることにより当該鋼棒３を固定する。このときプレス型Ｗの突起ａによる補強材２周面の押圧施工は、図９（ｃ）に示すように、補強材２の長手方向に沿って等間隔毎に複数箇所にわたって行われる。
【００５０】
あるいは、図１０（ａ）に示すように、先ず補強材２の左右両側に、一対の突起ａを備えたプレス型Ｗを配置させておき、図１０（ｂ）に示すように、補強材２の中央孔部４にネジ棒状の鋼棒３を所定の位置まで挿入し、プレス型Ｗの突起ａで補強材２の周面を押圧圧壊し鋼棒３のネジ溝に噛み合わせることにより当該鋼棒３を固定する。このときプレス型Ｗの突起ａによる補強材２周面の押圧施工は、図１０（ｃ）に示すように、補強材２の長手方向に沿って等間隔毎に複数箇所にわたって行われる。
【図面の簡単な説明】
【００５１】
【図１】本発明の実施の形態における取付装置本体および手摺支柱の組み付け状態を概略的に示すもので、（ａ）は組み付け前の分解状態を示す一部切欠斜視図、（ｂ）は組み付け後の一部切欠斜視図である。
【図２】同じく取付装置本体の組み付け手順を示し、（ａ）は取付装置本体を構成する補強材にネジ溝を有する鋼棒をねじ込む状態の断面図、（ｂ）は補強材に取り付けられた鋼棒をインサートにねじ込む状態の断面図である。
【図３】同じく取付装置本体および手摺支柱の組み付け手順の一例を示すもので、（ａ）は補強材に鋼棒をねじ込む状態の断面図、（ｂ）は（ａ）のＸ−Ｘ断面図、（ｃ）は補強材から出ている鋼棒をインサートにねじ込む状態の断面図、（ｄ）は（ｃ）のＹ−Ｙ断面図、（ｅ）はコンクリート堰壁・躯体の凹部内にエポキシ樹脂系接着剤を注入する状態の断面図、（ｆ）は（ｅ）のＺ−Ｚ断面図、（ｇ）は補強材に手摺支柱を被せると同時に化粧カバーを装着して下端凹部側に被せた状態の断面図である。
【図４】同じく取付装置本体、フェンスを備えた手摺支柱それぞれの組み付け状態の他例を概略的に示すもので、（ａ）は組み付け前の分解状態を示す一部切欠斜視図、（ｂ）は組み付け後の一部切欠斜視図である。
【図５】取付装置本体および手摺支柱の組み付け手順の他例を示すもので、（ａ）は補強材から出た鋼棒に高さ調整用ナットをねじ込む状態の断面図、（ｂ）は補強材から出ている鋼棒をインサートにねじ込む状態の断面図、（ｃ）は高さ調整用ナットをインサート側に締め付けた状態の断面図、（ｄ）はコンクリート堰壁・躯体の凹部内にエポキシ樹脂系接着剤を注入する状態の断面図、（ｅ）は補強材に手摺支柱を被せると同時に化粧カバーを装着して下端凹部側に被せた状態の断面図である。
【図６】補強材の角度調整機構の一例を示し、（ａ）は球体の袋ナット状となっている支承部材を使用した場合の断面図、（ｂ）は同じく平面図、（ｃ）は楕円体の袋ナット状となっている支承部材を使用した場合の断面図である。
【図７】取付装置本体および手摺支柱の組み付け手順のさらに他例を示すもので、（ａ）は補強材から出た鋼棒に高さ調整用ナットをねじ込む状態の断面図、（ｂ）は補強材から出ている鋼棒をインサートにねじ込む状態の断面図、（ｃ）は（ｂ）のＸ−Ｘ断面図、（ｄ）はコンクリート堰壁・躯体の凹部内にエポキシ樹脂系接着剤を注入する状態の断面図、（ｅ）は（ｄ）のＹ−Ｙ断面図、（ｆ）は補強材に手摺支柱を被せると同時に化粧カバーを装着して下端凹部側に被せた状態の断面図である。
【図８】同じく取付装置本体および手摺支柱の組み付け手順のさらに他例を示すもので、（ａ）は前後一対のビスホール部に組み込んだボルト・ネジにより補強材を垂直に支持した状態の断面図、（ｂ）はコンクリート堰壁・躯体の仕上げ面よりインサートが低く設定してある凹部内にエポキシ樹脂系接着剤を注入している状態の断面図、（ｃ）は各補強材に手摺支柱を被せ、且つ各手摺支柱に化粧カバーを装着した状態の断面図である。
【図９】補強材に挿入した鋼棒を外からの圧力で固定する施工方法を示し、（ａ）は補強材の左右両側にプレス型を配置した断面図、（ｂ）は補強材にアンカー状の鋼棒を所定の位置まで挿入し、プレス型の突起で補強材の周面を押圧圧壊した状態の断面図、（ｃ）は補強材の長手方向に沿って等間隔毎に周面を押圧圧壊した状態の断面図である。
【図１０】補強材に挿入した鋼棒を圧力で固定する他の施工方法を示し、（ａ）は補強材の左右両側にプレス型を配置した断面図、（ｂ）は補強材にネジ棒状の鋼棒を所定の位置まで挿入し、プレス型の突起で補強材の周面を押圧圧壊した状態の断面図、（ｃ）は補強材の長手方向に沿って等間隔毎に周面を押圧圧壊した状態の断面図である。
【符号の説明】
【００５２】
Ｐ…コンクリート堰壁・躯体              Ｑ…手摺支柱
Ｒ…化粧カバー                          Ｓ…エポキシ樹脂系接着剤
Ｌ…足場用単管パイプ                    Ｋ…クランプ金具
Ｆ…フェンス                            Ｖ…ボルト・ネジ
Ｗ…プレス型                            ａ…突起
１…取付装置本体                        ２…補強材
２ａ…側壁部                            ２ｂ…ウエブ
３…鋼棒                                ４…中央孔部
５ａ，５ｂ…ビスホール部                ６，７…縦溝条
１１…インサート                        １２…フランジ部
１３…スカート部                        １４…凹部
１５…球形凹部                          １６…支承部材
１７…角度調整機構                      
２５…楕円形凹部                        ２６…支承部材
２７…角度調整機構
３１…空洞部                            ３２…インサートナット
３３…前後スライド機構                  ３４…高さ調整用ナット
【図１】
2008291577.tif 000003
【図２】
2008291577.tif 000004
【図３】
2008291577.tif 000005
【図４】
2008291577.tif 000006
【図５】
2008291577.tif 000007
【図６】
2008291577.tif 000008
【図７】
2008291577.tif 000009
【図８】
2008291577.tif 000010
【図９】
2008291577.tif 000011
【図１０】
2008291577.tif 000012